【手続補正書】
【提出日】平成19年10月2日(2007.10.2)
【手続補正１】
【補正対象書類名】明細書
【補正対象項目名】発明の名称
【補正方法】変更
【補正の内容】
【発明の名称】画像編集システム、受付サーバ、画像編集サーバ、ユーザ端末、画像データベース、情報分析サーバ、画像編集方法、及び、記録媒体
【手続補正２】
【補正対象書類名】明細書
【補正対象項目名】特許請求の範囲
【補正方法】変更
【補正の内容】
【特許請求の範囲】
【請求項１】
互いにネットワークにより接続された、
ユーザから提供を受けた画像情報について編集内容の入力を受け付ける受付手段を有する少なくとも１つの受付サーバと、
前記画像情報に対して、前記受付手段で受け付けた編集内容に基づいて編集を行い、ユーザに提供するための編集画像データを作成する編集手段を有する少なくとも１つの画像編集サーバと、
前記画像情報を送信する送信手段と、前記受付手段に対して前記編集内容を入力する入力手段とを有する、ユーザに使用される少なくとも１つのユーザ端末と、
を備えることを特徴とする画像編集システム。
【請求項２】
前記ネットワークと接続された、前記画像情報の編集についてのアドバイスをネットワーク上で行なうアドバイザに使用される少なくとも１つのアドバイザ端末を備え、
前記入力手段は、前記ユーザが前記ユーザ端末において前記画像情報の編集についてネットワーク上で前記アドバイザと応答を行った後に、前記受付手段に対して前記編集内容を入力する
ことを特徴とする請求項１に記載の画像編集システム。
【請求項３】
前記ユーザ端末の前記入力手段は更に、前記編集画像データの提供を受けるために必要な情報を含むユーザ情報を前記受付サーバに対して入力する
ことを特徴とする請求項１又は２に記載の画像編集システム。
【請求項４】
前記ユーザ端末は、ネットワークを介して前記受付サーバに具備されたサイトにアクセ
スし、オンラインで前記ユーザが前記編集画像データの発注と代金の入金を行なえるよう制御する制御手段を更に有する
ことを特徴とする請求項１から３のいずれか１項に記載の画像編集システム。
【請求項５】
前記画像編集サーバは、
前記編集画像データがユーザに提供される前に、前記画像情報を用いて編集見本を作成する作成手段と、
前記ユーザに前記編集見本を提供する手段と、
を更に有する
ことを特徴とする請求項１から４のいずれか１項に記載の画像編集システム。
【請求項６】
前記受付サーバは、前記ユーザ端末に対して、前記編集内容に適した編集方法に関する編集画像作成情報を提供する提供手段を更に有する
ことを特徴とする請求項１から５のいずれか１項に記載の画像編集システム。
【請求項７】
前記受付サーバは、
前記ユーザ端末に対して、前記画像情報を編集するための画像編集ソフトウェアのカタログ情報を提供する手段と、
前記画像編集ソフトウェアを販売するサイトと、
を更に具備する
ことを特徴とする請求項６に記載の画像編集システム。
【請求項８】
前記受付サーバは、画像情報を編集する際のサンプルとなるサンプル画像データをユーザに提供するサイトを具備する
ことを特徴とする請求項１から７のいずれか１項に記載の画像編集システム。
【請求項９】
前記画像情報の保管を行なう保管手段を有する前記ネットワークと接続された画像データベースを備える
ことを特徴とする請求項１から８のいずれか１項に記載の画像編集システム。
【請求項１０】
前記受付サーバは、前記画像データベースにおける画像情報の保管サービスの内容を選択する選択手段を有する
ことを特徴とする請求項９に記載の画像編集システム。
【請求項１１】
前記選択手段は、前記画像データベースに格納されている画像情報を公開するか否かを選択する
ことを特徴とする請求項１０に記載の画像編集システム。
【請求項１２】
前記ネットワークと接続され、前記ユーザの情報及び商品情報の管理、分析を行なう情報分析サーバを備える
ことを特徴とする請求項１から１１のいずれか１項に記載の画像編集システム。
【請求項１３】
ユーザから提供を受けた画像情報を用いて、ユーザにより入力された編集内容に従って編集画像データを作成する少なくとも１つの画像編集サーバと、前記画像情報を送信し、該画像情報の編集内容を入力する、ユーザに使用される少なくとも１つのユーザ端末とにネットワークで接続され、前記画像情報について編集内容の入力を受け付ける受付手段を有する
ことを特徴とする受付サーバ。
【請求項１４】
ユーザから提供を受けた画像情報について編集内容の入力を受け付ける少なくとも１つ
の受付サーバと、前記画像情報を前記受付サーバに送信し該画像情報の編集内容を送信する、ユーザに使用される少なくとも１つのユーザ端末とにネットワークで接続され、前記画像情報を用いて、ユーザにより入力された編集内容に従って編集画像データを作成する作成手段を有する
ことを特徴とする画像編集サーバ。
【請求項１５】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバとにネットワークで接続され、
前記画像情報を前記受付サーバに送信する送信手段と、
前記受付サーバに対して前記編集内容を入力する入力手段と、
を有する
ことを特徴とするユーザ端末。
【請求項１６】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続され、前記画像情報の保管を行なう保管手段を有する
ことを特徴とする画像データベース。
【請求項１７】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続され、前記受付サーバにより受け付けたユーザの情報及び商品情報の管理、分析を行なう手段を有する
ことを特徴とする情報分析サーバ。
【請求項１８】
互いにネットワークにより接続された、少なくとも１つの受付サーバと、少なくとも１つの画像編集サーバと、ユーザに使用される少なくとも１つのユーザ端末と、を備える画像編集システムに適用される画像編集方法であって、
ユーザから提供を受けた画像情報について編集内容の入力を前記受付サーバで受け付ける受付工程と、
前記画像編集サーバにおいて、前記画像情報に対して、前記受け付けた編集内容に基づいて編集を行い、ユーザに提供するため編集画像データを作成する編集工程と、
前記画像情報を前記ユーザ端末から送信する送信工程と、
前記受付サーバに対して前記編集内容を前記ユーザ端末から入力する入力工程と、
を備えることを特徴とする画像編集方法。
【請求項１９】
ユーザから提供を受けた画像情報を用いて、ユーザにより入力された編集内容に従って編集画像データを作成する少なくとも１つの画像編集サーバと、前記画像情報を送信し、該画像情報の編集内容を入力する、ユーザに使用される少なくとも１つのユーザ端末とにネットワークで接続された受付サーバが、前記画像情報について編集内容の入力を受け付ける受付工程
を備えることを特徴とする画像編集方法。
【請求項２０】
ユーザから提供を受けた画像情報について編集内容の入力を受け付ける少なくとも１つ
の受付サーバと、前記画像情報を前記受付サーバに送信し該画像情報の編集内容を送信する、ユーザに使用される少なくとも１つのユーザ端末とにネットワークで接続された画像編集サーバが、前記画像情報を用いて、ユーザにより入力された編集内容に従って編集画像データを作成する編集工程
を備えることを特徴とする画像編集方法。
【請求項２１】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバとにネットワークで接続されたユーザ端末が、
前記画像情報を前記受付サーバに送信する送信工程と、
前記受付サーバに対して前記編集内容を入力する入力工程と、
を備えることを特徴とする画像編集方法。
【請求項２２】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続された画像データベースが、前記画像情報の保管を行なう保管工程
を備えることを特徴とする画像編集方法。
【請求項２３】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続された情報分析サーバが、前記受付サーバにより受け付けたユーザの情報及び商品情報の管理、分析を行なう工程
を備えることを特徴とする画像編集方法。
【請求項２４】
互いにネットワークにより接続されたコンピュータに、
ユーザから提供を受けた画像情報について編集内容の入力を受け付ける受付ステップ、
前記画像情報に対して、前記受け付けた編集内容に基づいて編集を行い、ユーザに提供するための編集画像データを作成する編集ステップ、
前記画像情報をユーザに使用される端末から送信する送信ステップ、
前記編集内容をユーザに使用される端末から入力する入力ステップ、
を実行させるためのプログラムを記録したコンピュータが読み取り可能な記録媒体。
【請求項２５】
ユーザから提供を受けた画像情報を用いて、ユーザにより入力された編集内容に従って編集画像データを作成する少なくとも１つの画像編集サーバと、前記画像情報を送信し、該画像情報の編集内容を入力する、ユーザに使用される少なくとも１つのユーザ端末とにネットワークで接続されたコンピュータに、前記画像情報について編集内容の入力を受け付ける受付ステップ
を実行させるためのプログラムを記録したコンピュータが読み取り可能な記録媒体。
【請求項２６】
ユーザから提供を受けた画像情報について編集内容の入力を受け付ける少なくとも１つの受付サーバと、前記画像情報を前記受付サーバに送信し該画像情報の編集内容を送信する、ユーザに使用される少なくとも１つのユーザ端末とにネットワークで接続されたコンピュータに、前記画像情報を用いて、ユーザにより入力された編集内容に従って編集画像データを作成する編集ステップ
を実行させるためのプログラムを記録したコンピュータが読み取り可能な記録媒体。
【請求項２７】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバとにネットワークで接続されたコンピュータに、
前記画像情報を前記受付サーバに送信する送信ステップ、
前記受付サーバに対して前記編集内容を入力する入力ステップ、
を実行させるためのプログラムを記録したコンピュータが読み取り可能な記録媒体。
【請求項２８】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続されたコンピュータに、前記画像情報の保管を行なう保管ステップ
を実行させるためのプログラムを記録したコンピュータが読み取り可能な記録媒体。
【請求項２９】
ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続されたコンピュータに、前記受付サーバにより受け付けたユーザの情報及び商品情報の管理、分析を行なうステップ
を実行させるためのプログラムを記録したコンピュータが読み取り可能な記録媒体。
【手続補正３】
【補正対象書類名】明細書
【補正対象項目名】００１８
【補正方法】変更
【補正の内容】
【００１８】
【課題を解決するための手段】
上記目的を達成するために、本発明に係る画像編集システムは、互いにネットワークにより接続された、ユーザから提供を受けた画像情報について編集内容の入力を受け付ける受付手段を有する少なくとも１つの受付サーバと、前記画像情報に対して、前記受付手段で受け付けた編集内容に基づいて編集を行い、ユーザに提供するための編集画像データを作成する編集手段を有する少なくとも１つの画像編集サーバと、前記画像情報を送信する送信手段と、前記受付手段に対して前記編集内容を入力する入力手段とを有する、ユーザに使用される少なくとも１つのユーザ端末と、を備える。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】変更
【補正の内容】
【００３０】
さらに、本発明に係る受付サーバは、ユーザから提供を受けた画像情報を用いて、ユー
ザにより入力された編集内容に従って編集画像データを作成する少なくとも１つの画像編集サーバと、前記画像情報を送信し、該画像情報の編集内容を入力する、ユーザに使用される少なくとも１つのユーザ端末とにネットワークで接続され、前記画像情報について編集内容の入力を受け付ける受付手段を有する。
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】変更
【補正の内容】
【００３６】
さらに、本発明に係る画像編集サーバは、ユーザから提供を受けた画像情報について編集内容の入力を受け付ける少なくとも１つの受付サーバと、前記画像情報を前記受付サーバに送信し該画像情報の編集内容を送信する、ユーザに使用される少なくとも１つのユーザ端末とにネットワークで接続され、前記画像情報を用いて、ユーザにより入力された編集内容に従って編集画像データを作成する作成手段を有する。
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】変更
【補正の内容】
【００３９】
さらに、本発明に係るユーザ端末は、ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバとにネットワークで接続され、前記画像情報を前記受付サーバに送信する送信手段と、前記受付サーバに対して前記編集内容を入力する入力手段と、を有する。
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】変更
【補正の内容】
【００４３】
さらに、本発明に係る画像データベースは、ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続され、前記画像情報の保管を行なう保管手段を有する。
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】変更
【補正の内容】
【００４７】
さらに、本発明に係る情報分析サーバは、ユーザから提供を受けた画像情報について編集内容の入力を受け付ける少なくとも１つの受付サーバと、前記画像情報を用いて前記受付サーバで受け付けた前記編集内容に従って編集画像データを作成する少なくとも１つの画像編集サーバと、前記画像情報を前記受付サーバに送信し該画像情報の編集内容を入力する、ユーザに使用される少なくとも１つのユーザ端末とにネットワークで接続され、前記受付サーバにより受け付けたユーザの情報及び商品情報の管理、分析を行なう手段を有する。
【手続補正３２】
【補正対象書類名】明細書
【補正対象項目名】００４８
【補正方法】削除
【補正の内容】
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】削除
【補正の内容】
【手続補正３６】
【補正対象書類名】明細書
【補正対象項目名】００５２
【補正方法】削除
【補正の内容】
【手続補正３７】
【補正対象書類名】明細書
【補正対象項目名】００５３
【補正方法】削除
【補正の内容】
【手続補正３８】
【補正対象書類名】明細書
【補正対象項目名】００５４
【補正方法】削除
【補正の内容】
【手続補正３９】
【補正対象書類名】明細書
【補正対象項目名】００５５
【補正方法】削除
【補正の内容】
【手続補正４０】
【補正対象書類名】明細書
【補正対象項目名】００５６
【補正方法】削除
【補正の内容】
【手続補正４１】
【補正対象書類名】明細書
【補正対象項目名】００５７
【補正方法】削除
【補正の内容】
【手続補正４２】
【補正対象書類名】明細書
【補正対象項目名】００５８
【補正方法】削除
【補正の内容】
【手続補正４３】
【補正対象書類名】明細書
【補正対象項目名】００５９
【補正方法】削除
【補正の内容】
【手続補正４４】
【補正対象書類名】明細書
【補正対象項目名】００６０
【補正方法】削除
【補正の内容】
【手続補正４５】
【補正対象書類名】明細書
【補正対象項目名】００６１
【補正方法】削除
【補正の内容】
【手続補正４６】
【補正対象書類名】明細書
【補正対象項目名】００６２
【補正方法】削除
【補正の内容】
【手続補正４７】
【補正対象書類名】明細書
【補正対象項目名】００６３
【補正方法】削除
【補正の内容】
【手続補正４８】
【補正対象書類名】明細書
【補正対象項目名】００６４
【補正方法】削除
【補正の内容】
【手続補正４９】
【補正対象書類名】明細書
【補正対象項目名】００６５
【補正方法】削除
【補正の内容】
【手続補正５０】
【補正対象書類名】明細書
【補正対象項目名】００６６
【補正方法】削除
【補正の内容】
【手続補正５１】
【補正対象書類名】明細書
【補正対象項目名】００６７
【補正方法】削除
【補正の内容】
【手続補正５２】
【補正対象書類名】明細書
【補正対象項目名】００６８
【補正方法】削除
【補正の内容】
【手続補正５３】
【補正対象書類名】明細書
【補正対象項目名】００６９
【補正方法】削除
【補正の内容】
【手続補正５４】
【補正対象書類名】明細書
【補正対象項目名】００７０
【補正方法】削除
【補正の内容】
【手続補正５５】
【補正対象書類名】明細書
【補正対象項目名】００７１
【補正方法】削除
【補正の内容】
【手続補正５６】
【補正対象書類名】明細書
【補正対象項目名】００７２
【補正方法】削除
【補正の内容】
【手続補正５７】
【補正対象書類名】明細書
【補正対象項目名】０１１６
【補正方法】変更
【補正の内容】
【０１１６】
図１に示されるように、本発明に係る画像編集システムの第１の実施形態は、互いにネットワーク１０５により接続された、ユーザが使用するユーザ端末１００と、ユーザ端末１００からのアクセスを受け付ける受付サーバ１０１と、アドバイザ１０６が使用するアドバイザ端末１０２と、ユーザから送付された画像を編集する画像編集サーバ１０３と、画像データを保管する画像データベース１０４と、情報を分析する情報分析サーバ１０７とを備える。
【手続補正５８】
【補正対象書類名】明細書
【補正対象項目名】０１１７
【補正方法】変更
【補正の内容】
【０１１７】
ここで、図１に示されるシステムでは、ユーザ端末１００、受付サーバ１０１、アドバイザ端末１０２、画像編集サーバ１０３、画像データベース１０４及び情報分析サーバ１０７とがそれぞれ１つずつしか示されていないが、本発明はこのような場合に限定されるものではなく、上記各装置の個数は任意の個数であって良い。
【手続補正５９】
【補正対象書類名】明細書
【補正対象項目名】０１２０
【補正方法】変更
【補正の内容】
【０１２０】
ただし、以下に説明する画像編集サーバ１０３の内部構成の説明は、前述のユーザ端末１００、受付サーバ１０１及びアドバイザ端末１０２の内部構成の説明にそのまま適用できるものである。
【手続補正６０】
【補正対象書類名】明細書
【補正対象項目名】０１４８
【補正方法】変更
【補正の内容】
【０１４８】
上記質疑応答の際に、ユーザ端末１００に表示される画面の一例について、図４を参照して説明する。
【手続補正６１】
【補正対象書類名】明細書
【補正対象項目名】図面の簡単な説明
【補正方法】変更
【補正の内容】
【図面の簡単な説明】
【図１】本発明に係る画像編集システムの第１の実施形態の全体構成図である。
【図２】図１に示される画像編集サーバ１０３の内部ブロック図である。
【図３】本発明に係る画像編集システムの第１の実施形態の動作概念図である。
【図４】図１に示されるユーザ端末１００に表示される画面の概略図である。
【図５】本発明に係る画像編集システムの第２の実施形態の動作概念図である。
【図６】本発明に係る画像編集システムの第２の実施形態が具備する端末に表示される画面の概略図である。
【図７】本発明に係る画像編集システムの第３の実施形態の動作概念図である。
【図８】本発明に係る画像編集システムの第３の実施形態が具備する端末に表示される画面の概略図である。
【図９】本発明に係る画像編集システムの第４の実施形態の動作概念図である。
【図１０】本発明に係る画像編集システムの第５の実施形態が具備する端末に表示される画面の概略図である。
【図１１】本発明に係る画像編集システムの第５の実施形態が具備する端末に表示される画面の概略図である。
【図１２】本発明に係る画像編集システムの第６の実施形態の動作概念図である。
【図１３】本発明に係る画像編集システムの実施例の動作のフローチャートである。
【符号の説明】
１００  ユーザ端末
１０１  受付サーバ
１０２  アドバイザ端末
１０３  画像編集サーバ
１０４  画像データベース
１０５  ネットワーク
１０６  アドバイザ
１０７  情報分析サーバ
２０１  ＣＰＵ
２０２  入力装置
２０３  主記憶装置
２０４  出力装置
２０５  補助記憶装置
２０６  クロック装置
２０７  制御装置
２０８  演算装置
３０１  ユーザ
３０２  サービス拠点
３０３  情報分析拠点
３０４  画像保管サイト
３０５  編集拠点
３０６  購入サイト
３０７  サービス受付サイト
３０８  編集見本
４０１  ユーザ発言欄
４０２  アドバイザ発言欄
５０１  編集画像作成情報
６０１  Ｏｎｅｐｏｉｎｔアドバイスボタン
６０２  最新ニュースボタン
６０３  画像編集情報サイトボタン
６０４  レジボタン
６０５  表示
７０１  サンプル画像
９０１  記録動作
９０２  保管動作
１２０１  第１の編集拠点
１２０２  第２の編集拠点
１２０３  第３の編集拠点